(57)【要約】【課題】１台の充電保持台で複数の機種の携帯無線電話機の充電が可能な汎用性を有することができる。【解決手段】充電保持台２は、携帯無線電話機が装着される保持凹部２ａと、保持凹部２ａに設けられ、携帯無線電話機の本体１および６の充電端子１ａ，６ａへ充電電流を供給するための供給端子３ａと、保持凹部２ａに設けられ、形状の異なる２以上の携帯無線電話機をそれぞれ保持するための２組以上の前面リブ２ｄ，２ｅ及び２ｆ，２ｇおよび背面リブ２ｂ，２ｃとを備えている。これらのリブ２ｂ〜２ｇで本体１および６の装着を導くことにより、携帯無線電話機の充電端子１ａ，６ａと充電保持台２の供給端子３ａとを確実に接触させることができる。【選択図】図２
2006262132.tif 000002
【特許請求の範囲】
【請求項１】
内部に収納された蓄電池と前記蓄電池の充電のために設けられた充電端子とを有する携帯無線電話機の充電を行うための携帯無線電話機用充電保持台であって、
前記携帯無線電話機が装着される装着部と、
前記装着部に設けられ、前記携帯無線電話機の前記充電端子へ充電電流を供給するための供給端子と、
前記装着部に設けられ、形状の異なる２以上の携帯無線電話機をそれぞれ保持するための２組以上のガイドリブと
を備え、
前記ガイドリブで携帯無線電話機の装着を導くことにより、携帯無線電話機の充電端子と充電保持台の供給端子とを確実に接触させることを特徴とする携帯無線電話機用充電保持台。
【請求項２】
前記携帯無線電話機が着信したときに発信する電波を受信するための電波受信手段と、
前記アンテナが受信した前記電波の電圧が予め設定された電圧しきい値を超えたときに、発光する発光手段と
をさらに備えたことを特徴とする請求項１に記載の携帯無線電話機用充電保持台。
【請求項３】
前記携帯無線電話機用充電保持台は、キャラクター形状に構成されることを特徴とする請求項１または２に記載の携帯無線電話機用充電保持台。
【発明の詳細な説明】
【技術分野】
【０００１】
この発明は、無線で通話するための携帯無線電話機の充電を行うための携帯無線電話機用充電保持台に関するものである。
【背景技術】
【０００２】
一般に、携帯無線電話機は充電器による充電式のものが主流である（例えば、特許文献１参照。）。携帯無線電話機を購入する際には、付属品として専用の充電保持台（充電器）が添付されている。充電保持台は汎用型のものではなく、携帯無線電話機の機種ごとに異なる構造のものとなっている。
【０００３】
特許文献１に記載の従来の充電保持台は、３６０°回転可能なホルダーが設けられており、当該ホルダーに携帯無線電話機を保持させて充電させることにより、充電中の携帯無線電話機の向きを任意の向きに保持することができる。これにより、携帯無線電話機の操作部分が充電中に外部から見えやすい向きに保持することができるので、充電中に着信した場合もわかりやすいという効果がある。しかしながら、当該充電保持台においても、ホルダーは携帯無線電話機の外形形状に沿って形成されており、複数の機種で用いることが可能な汎用性は有していない。
【０００４】
図６は、従来の携帯無線電話機と充電保持台の一例を示す斜視図、図７は側面から見た断面図、図８は図７の一点鎖線で囲んで示された充電保持台の供給端子部分およびそれに接続された携帯無線電話機の充電端子部分を示した拡大図、図９は上部から見た平面図であり、図１０は充電保持台の内部に設けたプリント基板の斜視図である。図６〜図１０において、１は携帯無線電話機本体（充電端子、蓄電池内蔵）（以下、本体１とする。）、ｌａは本体１内の蓄電池を充電する為に本体１の底部に設けられた充電端子、２は卓上に設置し、本体１を載置すると同時に充電端子１ａに充電電流を供給する充電保持台、２ａは本体１の底部形状に沿って形成された充電保持台２の保持凹部、２ｂおよび２ｃは本体１を支持する背面リブ、２ｄおよび２ｅは本体１の前面のガタを押さえ、充電端子１ａと供給端子３ａを確実に接触させるための前面リブ、３は本体１の充電端子１ａに充電電流を供給するための供給端子を備えたプリント基板、３ａはプリント基板３に設置された充電電流を充電端子１ａに供給するための供給端子、３ｂは電源コネクタと接続され、充電電流を供給端子３ａに送電するためのコネクタ、４は充電保持台２の底部に蓋をする為に構成された裏蓋、４ａおよび４ｂはプリント基板３を保持する為のリブ、５はプリント基板３に設けられたコネクタ３ｂに接続されて電流を供給する電源コードであり、５ａは電源をプリント基板３に供給する為の電源コード５に接続された電源プラグである。
【０００５】
次に動作について説明する。本体１を卓上で充電する場合は、充電保持台２に設けられた保持凹部２ａ内に本体１を充電保持台２の背面リブ２ｂ，２ｃ及び前面リブ２ｄ，２ｅに添って挿着する。プリント基板３に設けられたコネクタ３ｂは、外部電源の供給を受けた電源コード５の先端に付けられた電源プラグ５ａから電源の供給を受けているので、コネクタ３ｂを介して供給端子３ａに電流が供給される。そのため、本体１を保持凹部２ａ内に装着させて、充電保持台２の供給端子３ａと本体１の充電端子１ａとを接触させることにより、本体１内に内蔵されている蓄電池（図示せず）を充電することができる。
【０００６】
【特許文献１】特開平７−１７７２１３号公報
【発明の開示】
【発明が解決しようとする課題】
【０００７】
特許文献１および図６に示した従来の携帯無線電話機の充電保持台は、以上のように構成されていて、充電保持台は挿着される携帯無線電話機の本体の形状に合わせて、本体ごとに充電保持台の凹部（または、ホルダー）が作られていた為に、その都度、本体の充電端子と充電保持台の供給端子とをうまく接触させるように構造を変更する必要があり、汎用性がなく、また、製造効率が悪く、コストアップにつながってしまうという問題点があった。
【０００８】
また、充電中に携帯無線電話機の着信があっても、携帯無線電話機本体が知らせるだけで、充電保持台自体は、携帯無線電話機の着信を知らせることができなかった。さらに、充電保持台の外観イメージも堅く、何ら付加価値は有していなかった。
【０００９】
この発明は、かかる問題点を解決するためになされたもので、１台の充電保持台で複数の機種の携帯無線電話機（以下本体）の充電が可能な汎用性を有する携帯無線電話機用充電保持台を提供するものである。
【課題を解決するための手段】
【００１０】
この発明は、内部に収納された蓄電池と前記蓄電池の充電のために設けられた充電端子とを有する携帯無線電話機の充電を行うための携帯無線電話機用充電保持台であって、前記携帯無線電話機が装着される装着部と、前記装着部に設けられ、前記携帯無線電話機の前記充電端子へ充電電流を供給するための供給端子と、前記装着部に設けられ、形状の異なる２以上の携帯無線電話機をそれぞれ保持するための２組以上のガイドリブとを備え、前記ガイドリブで携帯無線電話機の装着を導くことにより、携帯無線電話機の充電端子と充電保持台の供給端子とを確実に接触させることを特徴とする携帯無線電話機用充電保持台である。
【発明の効果】
【００１１】
この発明は、内部に収納された蓄電池と前記蓄電池の充電のために設けられた充電端子とを有する携帯無線電話機の充電を行うための携帯無線電話機用充電保持台であって、前記携帯無線電話機が装着される装着部と、前記装着部に設けられ、前記携帯無線電話機の前記充電端子へ充電電流を供給するための供給端子と、前記装着部に設けられ、形状の異なる２以上の携帯無線電話機をそれぞれ保持するための２組以上のガイドリブとを備え、前記ガイドリブで携帯無線電話機の装着を導くことにより、携帯無線電話機の充電端子と充電保持台の供給端子とを確実に接触させることを特徴とする携帯無線電話機用充電保持台であるため、１台の充電保持台で複数の機種の携帯無線電話機の充電が可能な汎用性を有することができる。
【発明を実施するための最良の形態】
【００１２】
実施の形態１．
この発明は、外形形状の異なる複数台の携帯無線電話機でも、１つの充電保持台で携帯無線電話機内に収納された蓄電池が充電でき、且つ、携帯無線電話機が着信（受信）を受けた際、その携帯無線電話機が装着された充電保持台が点滅して光り、携帯無線電話機が着信（受信）したことを視覚的に知らせることができる携帯無線電話機用充電保持台に関する。
【００１３】
以下、この発明の実施の形態１に係る携帯無線電話機用充電保持台（以下、充電保持台とする。）を図について説明する。図１においては、この発明の本実施の形態に係る本体１と外形形状の異なる本体６とが充電保持台２に挿着された状態を示す正面図、図２は本体１または本体６を充電保持台２に挿着した際の側面の断面図である。図２において、一点鎖線で囲まれた図は、本体１および本体６の充電端子接触面を拡大した断面図である。図３は本体１または本体６を保持している状態を示す平面図である。図４は、充電保持台２の斜視図である。図５は本体１及び本体６の充電端子１ａおよび６ａに電流を供給するための供給端子３ａが設けられたプリント基板３の斜視図である。
【００１４】
図１〜５において、１および６は、異なる機種の携帯無線電話機の本体であり、本体１は実線で示し、本体６は二点鎖線で示している。図２からもわかるように、本体１および６は互いに外形形状が若干異なっている。本体１および６の底部には、充電端子１ａおよび６ａがそれぞれ設けられている。本体１および６の内部には蓄電池（図示せず）が内蔵されており、充電端子１ａおよび６ａを介して充電される。また、充電保持台２は、図４に示すように、うさぎ等のキャラクター形状に形成されている。充電保持台２として、ここでは、うさぎの形を例に示しているが、この場合に限らず、くまやブタ等の他の動物や、あるいは、草花や雪だるま等、各種の任意のキャラクター形状に構成してよいものとする。充電保持台２は卓上に設置され、本体１及び本体６を載置した状態で蓄電池への充電を行う。
【００１５】
充電保持台２には、図４に示すように、本体１及び本体６を保持する為の保持凹部２ａ（装着部）が形成されている。保持凹部２ａには、図３に示すように、６つのリブ２ｂ〜２ｇ（ガイドリブ）が設けられている。リブ２ｂ〜２ｇは、樹脂等により、充電保持台２の筐体と一体成型された突起部である。２ｂおよび２ｃは本体１及び本体６を挿着する際に本体１および本体６の背面を支持するために設けられた背面リブである。２ｄおよび２ｅは本体１の装着を導くとともに装着後に本体１を保持する為の前面リブである。２ｆおよび２ｇは本体６の装着を導くとともに本体６を保持する為の前面リブである。図２に示されているように、本体１は背面リブ２ｂおよび２ｃと前面リブ２ｄおよび２ｅとで挟持されて保持されている。しかしながら、本体６は、本体１と外形形状が異なっているため、図２に示すように、前面リブ２ｄおよび２ｅは本体６の前面と接触できないため、前面リブ２ｄおよび２ｅでは本体６の前面を保持することができない。そのため、本実施の形態では、図３に示すように、本体６の前面の一部分が接触して保持されるための前面リブ２ｆおよび２ｇが別個に設けられている。本実施の形態においては、前面リブ２ｆおよび２ｇは、本体６の側面寄りの前面の一部分が接触される位置に設けられている。図３に示すように、本体１の横幅は本体６の横幅よりも小さく、本体１の厚みは本体６の厚みより大きいため、本体１を保持するための前面リブ２ｄおよび２ｅは、本体６を充電保持台２に載置した場合にじゃまにならず、逆に、本体６を保持するための前面リブ２ｆおよび２ｇは、本体１を充電保持台２に載置した場合にじゃまになることはない。このように、充電したい複数の携帯無線電話機の各形状に合わせて複数の前面リブを適宜設けることにより、１台の充電保持台で複数の機種の充電を行うことができ、汎用性および利便性を図ることができる。なお、前面リブの設置場所は、図３の例に限らず、携帯無線電話機の各形状に合わせて適宜任意の場所に決定するようにする。前面リブ２ｄおよび２ｅの組か、あるいは、前面リブ２ｆおよび２ｇの組のいずれかの組で、携帯無線電話機の本体１および６の装着を導くことにより、携帯無線電話機の本体１および６の充電端子１ａ，６ａと充電保持台２の供給端子３ａとを確実に接触させることができる。
【００１６】
図４において、２ｈおよび２ｊは充電保持台２の光る箇所である。また、図３おいて、３は、充電保持台２内に設けられているプリント基板である。プリント基板３には、２つの供給端子３ａが設けられている。供給端子３ａは、本体１及び６の底部に設けられている充電端子１ａおよび６ａと図２の拡大図に示されるように接触して、充電電流を供給する。３ｂはプリント基板３に搭載されたコネクタであり、供給端子３ａに接続されている。３ｃは、プリント基板３に搭載されたアンテナ（電波受信手段）である。携帯無線電話機は、一般に、着信（受信）を受けた際に、着信（受信）を受けたという情報を、電波を発信することで、着信を受けた相手（ありは、相手の発信を中継している基地局）に知らせることになっている。アンテナ３ｃは、充電保持台２に挿着された状態で、本体１及び６が着信を受けた場合に、本体１および６から送信される着信（受信）を受けたという情報を知らせるための当該電波を受信する構成になっている。３ｄおよび３ｅはＬＥＤ（発光手段）であり、アンテナ３ｃが電波を着信（受信）すると、発光するように構成されている。具体的には、アンテナ３ｃが、本体１および６から発信される着信（受信）を受けたという情報の電波を受信すると、充電保持台２に設けられた整流回路（図示省略）で、電波を電圧に変換し、充電保持台２の内部に予め設定されている電圧しきい値を当該電圧が超えたときに、ＬＥＤ３ｄおよび３ｅが発光するしくみになっている。３ｆおよび３ｇは、ＬＥＤ３ｄおよび３ｅから発射された光を充電保持台２の光る箇所２ｈおよび２ｊに導くための円筒型の導光板である。当該導光板３ｆおよび３ｇの働きにより、ＬＥＤ３ｄおよび３ｅからの発光の光線を拡散させることを防止できるので、充電保持台２の光らせたい箇所２ｈおよび２ｊのみを光らせることが可能となる。
【００１７】
また、図２において、４は充電保持台２の底部に蓋をする為に構成された裏蓋、４ａおよび４ｂはプリント基板３を保持する為のリブである。また、５は、電源の供給を受けるための電源コードであり、５ａは、プリント基板３のコネクタ３ｂに接続されて、電源を供給するための電源プラグである。
【００１８】
以下、動作について説明する。基本的動作は従来の技術と同等であるので、本発明の特徴的な動作についてのみ述べる。本体１が充電保持台２に挿着された場合には、充電保持台２の保持凹部２ａに設けられた背面リブ２ｂおよび２ｃと前面リブ２ｄおよび２ｅとで本体１を保持する。一方、本体６が充電保持台２に挿着された場合には、背面リブ２ｂおよび２ｃと別途設けた前面リブ２ｆおよび２ｇとにより本体６を保持する。本体１及び本体６のそれぞれの充電端子ｌａおよび６ａと充電保持台２の供給端子３ａとの間の遊びをなくし、端子面を確実に接触させて充電電流を本体１及び本体６に伝える。また、本体１及び本体６が、充電中に着信（受信）を受けた際には、充電保持台２の光る箇所２ｈおよび２ｊが光って着信（受信）を視覚的に知らせる。
【００１９】
以上のように、この発明によれば、外形形状の違う本体１および６であっても、本体の背面を基準にし、それぞれの外形形状に合わせた前面リブを設けておくことにより、装着時に前面リブと背面リブとで本体１および６の装着を導くとともに、装着後に各本体の遊びを制限するようにして、確実に本体の充電端子と充電保持台２の供給端子とを安定して接触させた状態での充電が行え、電気的信頼性、利便性および汎用性を有することができる。また、前面リブを形成することにより、２以上の形状の携帯無線電話機に対応するようにしたので、１機種のみに対応させていた従来の充電保持台の製造コストと同じ製造コストで製造することができる。また、充電保持台２内のプリント基板にアンテナを設けておいて、充電中の本体１および６が着信（受信）を受けたときには、本体１および６から発信される電波をアンテナが受信することにより、充電保持台２に設けられたＬＥＤ３ｄおよび３ｅが光って確実に着信（受信）を視覚的に知らすことができる。さらに、充電保持台２の形状をキャラクター形状に構成するようにしたので、外観上の可愛いらしさがあり、利用者を楽しませる、あるいは、和ませることができ、また、卓上のアクセサリにもなるという付加価値がある。また、可愛らしいキャラクターの一部が光って、着信を知らせるため、利用者の目が向きやすく、着信を気づかせやすいという効果がある。
【００２０】
なお、上記の実施の形態においては、本体１および６の２つの機種に対応可能な充電保持台について説明したが、前面リブの個数を増やすことにより、さらに、多くの３つ以上の機種に対応可能にすることができる。
【００２１】
また、上記の実施の形態においては、ＬＥＤを設けて発光により着信を知らせるようにしたが、その場合に限らず、音声発生手段を設けておいて、音声や音楽などの音により着信を知らせるようにしてもよい。
【００２２】
なお、上記実施の形態においては、ストレートタイプの携帯無線電話機を例に挙げて説明したが、この場合に限らず、２つ折りの折りたたみ式の携帯無線電話機にも本発明は適用でき、その場合にも、同様の効果が得られることは言うまでもない。
【００２３】
さらに、上記の実施の形態においては、リブ２ｂ〜２ｇを充電保持台の筐体と一体成型したものを例に挙げて説明したが、その場合に限らず、リブ２ｂ〜２ｇを別体で構成し、バネ等により前後に可動可能なように設けておいて（すなわち、リブ２ｂ〜２ｇが、引っ込んだり、でばったりできるようにしておいて）、リブ２ｂ〜２ｇの突起部分の長さを調整可能な構成にしておくことにより、さらに汎用性が向上するという効果がある。
【図面の簡単な説明】
【００２４】
【図１】この発明の実施の形態１に係る携帯無線電話機用充電保持台の正面図である。
【図２】この発明の実施の形態１に係る携帯無線電話機用充電保持台の側面の断面図である。
【図３】この発明の実施の形態１に係る携帯無線電話機用充電保持台の平面図である。
【図４】この発明の実施の形態１に係る携帯無線電話機用充電保持台の斜視図である。
【図５】この発明の実施の形態１に係る携帯無線電話機用充電保持台のプリント基板を示した斜視図である。
【図６】従来の充電保持台の構造を示す斜視図である。
【図７】従来の充電保持台の構造を示す側面の断面図である。
【図８】従来の充電保持台の構造を示す拡大断面図である。
【図９】従来の充電保持台の構造を示す平面図である。
【図１０】従来の充電保持台の基板構造を示す斜視図である。
【符号の説明】
【００２５】
１，６  本体、１ａ，６ａ  充電端子、２  充電保持台、２ａ  保持凹部、２ｂ，２ｃ  背面リブ、２ｄ，２ｅ  前面リブ、２ｆ，２ｇ  前面リブ、２ｈ，２ｊ  光る箇所、３  プリント基板、３ａ  供給端子、３ｂ  コネクタ、３ｃ  アンテナ、３ｄ，３ｅ  ＬＥＤ、３ｆ，３ｇ  導光板、４  裏蓋、４ａ，４ｂ  リブ、５  電源コード、５ａ  電源プラグ。
【図１】
2006262132.tif 000003
【図２】
2006262132.tif 000004
【図３】
2006262132.tif 000005
【図４】
2006262132.tif 000006
【図５】
2006262132.tif 000007
【図６】
2006262132.tif 000008
【図７】
2006262132.tif 000009
【図８】
2006262132.tif 000010
【図９】
2006262132.tif 000011
【図１０】
2006262132.tif 000012